(57)【要約】【課題】シャッターチャンスを逃すことなく所望の画像を容易に得ることのできる撮像装置を提供する。【解決手段】レリーズスイッチ４の第１操作に応じて連続撮影動作を起動して複数の画像を撮像する撮像手段７と、前記第１操作とは異なるレリーズスイッチ４の第２操作に応じて、前記複数の画像のうち、前記第２操作の時刻から所定時間遡った時刻に対応する画像を選択する選択手段１３とを備えたことを特徴とする。【選択図】図１
2009290479.tif 000002
【特許請求の範囲】
【請求項１】
レリーズスイッチの第１操作に応じて連続撮影動作を起動して複数の画像を撮像する撮像手段と、
前記第１操作とは異なる前記レリーズスイッチの第２操作に応じて、前記複数の画像のうち、前記第２操作の時刻から所定時間遡った時刻に対応する画像を選択する選択手段とを備えたことを特徴とする撮像装置。
【請求項２】
前記所定時間を設定するための設定手段を備えていることを特徴とする請求項１に記載の撮像装置。
【請求項３】
前記複数の画像を表示する表示手段と、
前記表示手段に表示した前記複数の画像の中から任意の画像を選択する第２選択手段とを有し、
前記設定手段は、前記第２選択手段によって選択された画像の撮影時刻と前記レリーズスイッチの第２操作の時刻との時間差を前記所定時間として設定することを特徴とする請求項２に記載の撮像装置。
【請求項４】
前記被写体の像を結像する光学系と、
前記光学系による前記被写体の像面の移動速度を検出する像面移動速度検出手段とをさらに備え、
前記設定手段は、前記被写体の像面移動速度に応じて前記所定時間を設定することを特徴とする請求項２又は請求項３に記載の撮像装置。
【請求項５】
前記被写体の像を結像する光学系と、
前記光学系による撮影画面内における前記被写体の像の移動速度を検出する移動速度検出手段とをさらに備え、
前記設定手段は、撮影画面内における前記被写体の像の移動速度に応じて前記所定時間を設定することを特徴とする請求項２から請求項４のいずれか一項に記載の撮像装置。
【請求項６】
前記被写体の像を結像する光学系と、
前記光学系による撮影画面内における前記被写体の像の大きさの変化を検出する像変化検出手段とをさらに備え、
前記設定手段は、撮影画面内における前記被写体の像の大きさの変化に応じて前記所定時間を設定することを特徴とする請求項１から請求項５のいずれか一項に記載の撮像装置。
【請求項７】
前記被写体の像の大きさを、前記光学系の焦点距離と撮影距離とに基づいて求めることを特徴とする請求項６に記載の撮像装置。
【発明の詳細な説明】
【技術分野】
【０００１】
本発明は、撮像装置に関する。
【背景技術】
【０００２】
従来、レリーズスイッチをオンしてからオフするまでの間に静止画を連続撮影して記録することにより、シャッターチャンスを逃さないようにした電子カメラが提案されている（例えば、特許文献１を参照。）。
【特許文献１】特願２００３−２３４９３７号公報
【発明の開示】
【発明が解決しようとする課題】
【０００３】
しかしながら上述のような従来の電子カメラは、多数の静止画の中から所望の静止画を選択しなければならず、煩雑であるという問題があった。
【０００４】
そこで本発明は上記問題点に鑑みてなされたものであり、シャッターチャンスを逃すことなく所望の画像を容易に得ることのできる撮像装置を提供することを目的とする。
【課題を解決するための手段】
【０００５】
上記課題を解決するために本発明は、
レリーズスイッチの第１操作に応じて連続撮影動作を起動して複数の画像を撮像する撮像手段と、
前記第１操作とは異なる前記レリーズスイッチの第２操作に応じて、前記複数の画像のうち、前記第２操作の時刻から所定時間遡った時刻に対応する画像を選択する選択手段とを備えたことを特徴とする撮像装置を提供する。
【発明の効果】
【０００６】
本発明によれば、シャッターチャンスを逃すことなく所望の画像を容易に得ることのできる撮像装置を提供することができる。
【発明を実施するための最良の形態】
【０００７】
以下、本発明の実施形態に係る電子スチルカメラを添付図面に基づいて詳細に説明する。
図１は、本発明の実施形態に係る電子スチルカメラの外観図である。
図１に示すように本実施形態に係る電子スチルカメラ１は、本体２の前面に不図示の被写体からの光を結像して被写体像を形成する撮影レンズ３が取り付けられている。また、本体２の上面には撮影者が撮影の指示を入力するためのレリーズスイッチ４、背面には被写体の画像を表示するためのモニタ５と後述する撮影モードの選択やその他の操作を行うための各種スイッチ６が備えられている。
【０００８】
図２は、本発明の実施形態に係る電子スチルカメラの構成を示すブロック図である。
図２に示すように本実施形態に係る電子スチルカメラ１は、上記撮影レンズ３、該撮影レンズ３によって形成された被写体像を撮像する撮像部７、ＡＦ検出部８、画像処理部９、撮像した被写体像の画像データを記憶するバッファ１０とメモリ１１、上記モニタ５、撮影者が本電子スチルカメラ１を操作するための操作部１２、及びこれらを制御するＣＰＵ１３を有してなる。
なお、ＡＦ検出部８はオートフォーカスを行うために位相差検出方式で撮影レンズ３の焦点調節状態を検出する焦点検出装置であり、撮影レンズ３にはオートフォーカスに際して該撮影レンズ３を駆動するＡＦ駆動部１４が備えられている。また、操作部１２には上述のレリーズスイッチ４及び各種スイッチ６が含まれ、ＣＰＵ１３には種々の演算を行う演算部１５が含まれる。なお、ミラーで光路を分岐してＡＦ検出部８で位相差方式の焦点検出を行う以外に、撮像素子（撮像部７）で得られた画像信号に基づいてコントラストＡＦ（山登りＡＦ）を行うものであってもよい。また、撮像部７が撮像画素中に焦点検出用の画素を設けた構成の撮像素子を含みこの焦点検出用画素の出力に基づいて瞳分割位相差検出方式で焦点検出するものであってもよい。
【０００９】
斯かる構成の下、本実施形態に係る電子スチルカメラ１では、撮影者によってレリーズスイッチ４が半押し操作されるとＡＦ検出部８及びＡＦ駆動部１４がオートフォーカスを行うとともにＣＰＵ１３が露光条件（露出）を決定し、さらにレリーズスイッチ４が全押し操作されると前記露光条件（或いは撮影者が各種スイッチ６を操作して入力した露光条件）に基づいて撮影が行われる。なお撮影は、撮影レンズ３によって形成された被写体像が撮像部７で撮像され、撮像された被写体像の画像データが撮像部７からモニタ５及びメモリ１１に出力されることで、モニタ５には被写体の静止画が表示され、またメモリ１１には前記画像データが記憶されて完了する（以上のような一般的な撮影手順を「通常撮影モード」と称する。）。
【００１０】
ここで、先に述べたように従来の電子カメラにおいては、撮影者が撮影を行おうとしたタイミングと、実際に撮影が行われるタイミングとの間に、わずかなシャッタタイムラグが生じてしまう。これは、撮影者が撮影を行うべきだと判断したタイミングと撮影者が実際にレリーズスイッチを操作したタイミングのずれ、撮影者がレリーズスイッチを操作してから電子カメラで実際に撮影が行われるまでの時間差等に起因するものである。
例えば、従来の電子カメラを用いて落下するボールが水面に衝突する瞬間を撮影する場合、撮影者はシャッターチャンスとして図３（ｃ）に示すタイミングのボールを撮影したつもりでも、実際には図３（ｄ）に示すタイミングのボールが撮影されているという事態が生じてしまう。このような場合、図３（ｃ）のタイミングと図３（ｄ）のタイミングとの時間差が、当該撮影者固有のシャッタタイムラグであると言える。
【００１１】
そこで本実施形態に係る電子スチルカメラ１は、前述のようなシャッタタイムラグによる撮り逃しを防止するため、以下に詳述するタイムラグ撮影モード（或いはタイムラグ設定モード）によってレリーズスイッチ４の半押し操作中に被写体の連続撮影を行う構成としている。そしてさらに本実施形態に係る電子スチルカメラ１は、連続撮影によって得られた複数の静止画の中から撮影者が意図したシャッターチャンスの被写体を写した静止画を選択するという煩雑な作業を解消するため、前記複数の静止画のうち、レリーズスイッチ４が全押し操作された時刻より所定時間だけ遡った時刻に対応する静止画を撮影者が意図したシャッターチャンスの静止画として自動的に選択する構成としている。
【００１２】
本実施形態に係る電子スチルカメラ１は、上述した通常撮影モードに加えて、以下のタイムラグ撮影ルーチンに基づくタイムラグ撮影モードで被写体の撮影を行うこともできる。
図４は、本発明の実施形態に係る電子スチルカメラにおいて実行されるタイムラグ撮影ルーチンを示すフローチャートである。
本タイムラグ撮影ルーチンは、撮影者によってレリーズスイッチ４が半押し操作されることで開始する。なお、予め撮影者は、通常撮影モード、タイムラグ撮影モード、及び後述するタイムラグ設定モードのうち、各種スイッチ６を操作してタイムラグ撮影モードを選択しておく。
【００１３】
ステップＳ１：ＡＦ検出部８及びＡＦ駆動部１４がＣＰＵ１３からの指示に基づいてオートフォーカスを行い、さらにＣＰＵ１３が露光条件を決定する。
ステップＳ２：ステップＳ１で決定した露光条件（或いは撮影者が各種スイッチ６を操作して入力した露光条件）の下、撮像部７が撮影レンズ３によって形成された被写体像の撮像を行う。また、これによって得られた被写体像の画像データは、撮像時刻の情報と併せてバッファ１０に一時的に保存される。なお、本ステップＳ２を繰り返すことで複数の画像データが取得されてバッファ１０に蓄積されることとなるが、蓄積された画像データがバッファ１０の容量を越える場合には、古い画像データが順次削除され新たな画像データが保存される。
【００１４】
ステップＳ３：ＣＰＵ１３が、撮影者によってレリーズスイッチ４が全押し操作されたか否かを判定する。レリーズスイッチ４が全押し操作された場合はステップＳ４へ進み、そうでない場合はステップＳ１へ戻る。
ステップＳ４：ＣＰＵ１３が、バッファ１０に蓄積されている複数の画像データの中から、レリーズスイッチ４が全押し操作された時刻より所定時間だけ遡った時刻に対応する画像データを、レリーズスイッチ４の全押し操作によって得られた画像データとして選択して読み出す。ここで、本タイムラグ撮影モードにおける当該所定時間には、本電子スチルカメラ１に予め設定されている初期設定値（例えば、０．０２秒等）が用いられる。なお、この所定時間は、撮影者が各種スイッチ６を介して直接入力した設定値、後述する第１、第２、第３サブルーチンで設定された設定値、或いは後述するタイムラグ設定モードで設定された設定値を用いるように撮影者が変更することもできる。
【００１５】
ステップＳ５：ＣＰＵ１３が、ステップＳ４で読み出した画像データをメモリ１１に記憶させるとともに、当該画像データに基づく被写体の静止画をモニタ５に表示させる。
ステップＳ６：ＣＰＵ１３がバッファ１１に蓄積されている複数の画像データを全て削除し、本タイムラグ撮影ルーチンが終了する。
【００１６】
以上に述べたタイムラグ撮影ルーチンに基づくタイムラグ撮影モードでは、撮影者がレリーズスイッチ４を半押し操作してから全押し操作するまでの間、被写体の連続撮影が行われる。このため、レリーズスイッチ４の全押し操作時に上述のシャッタタイムラグが生じても、シャッターチャンスの被写体を撮り逃してしまうことがない。そして、連続撮影によって得られた複数の静止画の中からレリーズスイッチ４が全押し操作された時刻より所定時間だけ遡った時刻に対応する静止画が、撮影者の意図したシャッターチャンスの静止画として自動的に選択される。このため、複数の静止画の中から撮影者が意図したシャッターチャンスの被写体を写した静止画を、撮影者が自ら選択するという煩雑な作業を解消することができる。
【００１７】
ここで、本実施形態に係る電子スチルカメラ１では、撮影者が撮影モードを選択する際に、上述したタイムラグ撮影モードのオプションとして後述する第１サブルーチン、第２サブルーチン、或いは第３サブルーチンを追加選択することもできる。
本電子スチルカメラ１においてタイムラグ撮影モードのオプションとして第１サブルーチンが追加選択された場合には、上記タイムラグ撮影ルーチンのステップＳ３とステップＳ４の間で、以下の各ステップ（ステップＳ７〜ステップＳ９）が実行される。
【００１８】
図５は、本発明の実施形態に係る電子スチルカメラにおけるタイムラグ撮影モードの第１サブルーチンを示すフローチャートである。
ここで、本第１サブルーチンが実行される前提として、上記タイムラグ撮影ルーチンのステップＳ２では、被写体像の画像データ及び撮像時刻の情報に加えて、オートフォーカスに際してＡＦ検出部８で検出された撮影レンズ３のデフォーカス量の情報もバッファ１０に一時的に保存される。
ステップＳ７：ＣＰＵ１３が、上記ステップＳ２を繰り返して得られた複数の画像データのデフォーカス量（例えば、最後の撮像で得られた画像データと最後から２番目の撮像で得られた画像データの各デフォーカス量）をバッファ１０から読み出し、これに基づいて演算部１５が被写体の像面移動速度を算出する。
【００１９】
ステップＳ８：ＣＰＵ１３が、ステップＳ７において算出した被写体の像面移動速度が所定値以上であるか否かを判定する。被写体の像面移動速度が所定値以上である場合はステップＳ９へ進み、そうでない場合はステップＳ４へ進む。
ステップＳ９：ＣＰＵ１３が、ステップＳ４において所定時間として用いられる初期設定値を、被写体の像面移動速度の大きさに応じて補正する。具体的には、被写体の像面移動速度が大きい場合には初期設定値を大きな値に変更し、被写体の像面移動速度が小さい場合には初期設定値を小さな値に変更する。
以上に述べた第１サブルーチンをタイムラグ撮影モードで実行することにより、移動する被写体を撮影する際に、被写体の移動速度に適した値を前記所定時間として設定することができる。
【００２０】
また、本電子スチルカメラ１においてタイムラグ撮影モードのオプションとして第２サブルーチンが追加選択された場合には、上記タイムラグ撮影ルーチンのステップＳ３とステップＳ４の間で、以下の各ステップ（ステップＳ１０〜ステップＳ１２）が実行される。
図６は、本発明の実施形態に係る電子スチルカメラにおけるタイムラグ撮影モードの第２サブルーチンを示すフローチャートである。
ステップＳ１０：上記ステップＳ２を繰り返して得られた複数の画像データに基づく複数の画像（例えば、最後の撮像で得られた画像データに基づく画像と最後から２番目の撮像で得られた画像データに基づく画像）に対し、画像処理部９が例えばテンプレートマッチングによる被写体像の追尾を行うことで撮影画面内における被写体像の移動を検出し、これに基づいてＣＰＵ１３内の演算部１５が撮影画面内における被写体像の移動速度を算出する。
【００２１】
ステップＳ１１：ＣＰＵ１３が、ステップＳ１０において算出した撮影画面内における被写体像の移動速度が所定値以上であるか否かを判定する。撮影画面内における被写体像の移動速度が所定値以上である場合はステップＳ１２へ進み、そうでない場合はステップＳ４へ進む。
ステップＳ１２：ＣＰＵ１３が、ステップＳ４において所定時間として用いられる初期設定値を、撮影画面内における被写体像の移動速度の大きさに応じて補正する。具体的には、撮影画面内における被写体像の移動速度が大きい場合には初期設定値を大きな値に変更し、撮影画面内における被写体像の移動速度が小さい場合には初期設定値を小さな値に変更する。
以上に述べた第２サブルーチンをタイムラグ撮影モードで実行することにより、撮影レンズ３の光軸に垂直な方向へ移動する被写体を撮影する際に、被写体の移動速度に適した値を前記所定時間として設定することができる。
【００２２】
また、本電子スチルカメラ１においてタイムラグ撮影モードのオプションとして第３サブルーチンが追加選択された場合には、上記タイムラグ撮影ルーチンのステップＳ３とステップＳ４の間で、以下の各ステップ（ステップＳ１３〜ステップＳ１５）が実行される。
図７は、本発明の実施形態に係る電子スチルカメラにおけるタイムラグ撮影モードの第３サブルーチンを示すフローチャートである。
ここで、本第３サブルーチンが実行される前提として、上記タイムラグ撮影ルーチンのステップＳ２では、被写体像の画像データ及び撮像時刻の情報に加えて、撮影レンズ３の焦点距離及び被写体までの撮影距離、即ち撮影倍率の情報もバッファ１０に一時的に保存される。
【００２３】
ステップＳ１３：上記ステップＳ２を繰り返して得られた複数の画像データに基づく複数の画像（例えば、最後の撮像で得られた画像データに基づく画像と最後から２番目の撮像で得られた画像データに基づく画像）について、対応する撮影倍率を参照して画像処理部９が撮影画面内における被写体像の大きさを検出し、これに基づいてＣＰＵ１３内の演算部１５が被写体像の大きさの変化量を算出する。
ステップＳ１４：ＣＰＵ１３が、ステップＳ１３において算出した撮影画面内における被写体像の大きさの変化量が所定値以上であるか否かを判定する。撮影画面内における被写体像の大きさの変化量が所定値以上である場合はステップＳ１５へ進み、そうでない場合はステップＳ４へ進む。
【００２４】
ステップＳ１５：ＣＰＵ１３が、ステップＳ４において所定時間として用いられる初期設定値を、撮影画面内における被写体像の大きさの変化量に応じて補正する。具体的には、撮影画面内における被写体像の大きさの変化量が大きい場合には初期設定値を大きな値に変更し、撮影画面内における被写体像の大きさの変化量が小さい場合には初期設定値を小さな値に変更する。
以上に述べた第３サブルーチンをタイムラグ撮影モードで実行することにより、大きさが変化する被写体を撮影する際に、その変化量に適した値を前記所定時間として設定することができる。
【００２５】
また、本実施形態に係る電子スチルカメラ１は、上述した通常撮影モード及びタイムラグ撮影モードに加えて、以下のタイムラグ設定ルーチンに基づくタイムラグ設定モードで被写体の撮影を行うこともできる。
図８は、本発明の実施形態に係る電子スチルカメラにおいて実行されるタイムラグ設定ルーチンを示すフローチャートである。
本タイムラグ設定ルーチンは、撮影者によってレリーズスイッチ４が半押し操作されることで開始する。なお、予め撮影者は、通常撮影モード、タイムラグ撮影モード、及びタイムラグ設定モードのうち、各種スイッチ６を介してタイムラグ設定モードを選択しておく。
【００２６】
ステップＴ１：ＡＦ検出部８及びＡＦ駆動部１４がＣＰＵ１３からの指示に基づいてオートフォーカスを行い、さらにＣＰＵ１３が露光条件を決定する。
ステップＴ２：ステップＴ１で決定した露光条件（或いは撮影者が各種スイッチ６を介して入力した露光条件）の下、撮像部７が被写体像の撮像を行う。また、これによって得られた被写体像の画像データは、撮像時刻の情報と併せてバッファ１０に一時的に保存される。なお、本ステップＴ２を繰り返すことでバッファ１０に蓄積される複数の画像データがバッファ１０の容量を越える場合には、古い画像データが順次削除され新たな画像データが保存される。
【００２７】
ステップＴ３：ＣＰＵ１３が、撮影者によってレリーズスイッチ４が全押し操作されたか否かを判定する。レリーズスイッチ４が全押し操作された場合はステップＴ４へ進み、そうでない場合はステップＴ１へ戻る。
ステップＴ４：ＣＰＵ１３が、バッファ１０に蓄積されている複数の画像データの中から、レリーズスイッチ４が全押し操作された時刻より所定時間だけ遡った時刻に対応する画像データを選択して読み出す。ここで、本タイムラグ設定モードにおける前記所定時間には、後述するステップＴ９で設定された設定値が用いられる。なお、ステップＴ９において設定値がまだ設定されていない場合には、本電子スチルカメラ１に予め設定されている初期設定値が用いられる。
【００２８】
ステップＴ５：ＣＰＵ１３が、読み出した画像データに基づく被写体の静止画をモニタ５に表示させる。これにより撮影者は、モニタ５で被写体の静止画を確認し、この静止画の画像データを後述するステップＴ８においてメモリ１１に記憶させてよいか判断することができる。また、このとき撮影者は、当該静止画が意図したタイミングの被写体を写したものでないと判断した場合には、各種スイッチ６を介して、バッファ１０に蓄積されている別の画像データを読み出しこれに基づく被写体の静止画をモニタ５に表示させる指示（以下、「表示画像の変更指示」という。）を入力することができる。ここで、本実施形態では表示画像の変更指示として、具体的にはモニタ５に表示中の静止画の直前又は直後に撮像された静止画を表示する旨の指示が入力される。なおこれに限られず、表示画像の変更指示として任意時間の値を直接入力し、表示中の静止画の撮像時刻から任意時間前又は任意時間後に撮像された静止画を表示させる構成としてもよい。
【００２９】
ステップＴ６：ＣＰＵ１３が、定められた時間内に撮影者が各種スイッチ６を操作して表示画像の変更指示を入力したか否かを判定する。表示画像の変更指示が入力された場合はステップＴ７へ進み、そうでない場合はステップＴ４へ戻る。
ステップＴ７：ＣＰＵ１３が、撮影者によって入力された表示画像の変更指示に基づき、バッファ１０に蓄積されている複数の画像データの中から、ステップＴ５でモニタ５に表示していた静止画の直前又は直後に撮影された静止画の画像データを読み出す。
ステップＴ８：ＣＰＵ１３が、現在モニタ５に表示している被写体の静止画の画像データを、レリーズスイッチ４の全押し操作によって得られた画像データとしてメモリ１１に記憶させる。
【００３０】
ステップＴ９：ＣＰＵ１３が、表示画像の変更履歴があったか否か、即ちステップＴ４で選択された画像データとステップＴ８でメモリ１１に記憶された画像データとが一致しているか否かを判定する。これらの画像データが一致している場合はステップＴ１０へ進み、そうでない場合はステップＴ１１へ進む。
ステップＴ１０：ＣＰＵ１３内の演算部１５が、ステップＴ８でメモリ１１に記憶された画像データの撮影時刻と撮影者がレリーズスイッチ４を全押し操作した時刻との時間差を求め、ＣＰＵ１３はこの値をステップＴ４で用いられる所定時間として設定する。
ステップＴ１１：ＣＰＵ１３がバッファ１０に蓄積されている複数の画像データを全て削除し、本タイムラグ設定ルーチンが終了する。
【００３１】
以上に述べたタイムラグ設定ルーチンに基づくタイムラグ設定モードでは、上述したタイムラグ撮影モードと同様に、レリーズスイッチ４の半押し操作中に被写体を連続撮影することで、シャッターチャンスの被写体を撮り逃してしまうことがない。また、連続撮影で得られた複数の静止画の中からレリーズスイッチ４が全押し操作された時刻より所定時間だけ遡った時刻に対応する静止画を撮影者が意図したシャッターチャンスの静止画として自動的に選択された静止画を撮影者が確認し、これを必要に応じて変更することで前記所定時間として当該撮影者に最適な値を設定することができる。
なお、本タイムラグ設定モードでは、連続撮影で得られた被写体の複数の静止画から、撮影者がシャッタタイムラグとは無関係に所望の静止画を自由に選択することもできる。このため、連続撮影によって撮影者が想定外の良好な静止画が撮影されていた場合には、これをレリーズスイッチ４の全押し操作で得られた画像としてメモリ１１に記憶させることができる。
【００３２】
以上の実施形態によれば、シャッタタイムラグによる被写体の撮り逃しを事前の連続撮影によって防止し、撮影した複数の画像から撮影者の意図したタイミングの画像を選択する電子スチルカメラ１を実現することができる。
また、本実施形態に係る電子スチルカメラ１は、タイムラグ設定モードで撮影者に最適な所定時間を設定し、この最適な所定時間を用いて、第１サブルーチン、第２サブルーチン、或いは第３サブルーチンを追加選択したタイムラグ撮影モードで被写体の撮影を行うことで、本発明の効果を最大限に発揮することができる。
【００３３】
なお、本実施形態に係る電子スチルカメラ１では、撮影者が必要に応じて各種スイッチ６を介して年齢を入力し、上述したタイムラグ撮影ルーチンのステップＳ２で当該年齢に応じた設定値が所定時間として用いられる構成としてもよい。
また、本実施形態に係る電子スチルカメラ１では、タイムラグ撮影モードのオプションとして第１サブルーチン、第２サブルーチン、第３サブルーチンの２つ以上を追加選択して被写体の撮影を行う構成とすることもできる。
【図面の簡単な説明】
【００３４】
【図１】本発明の実施形態に係る電子スチルカメラの外観図である。
【図２】本発明の実施形態に係る電子スチルカメラの構成を示すブロック図である。
【図３】落下するボールが水面に衝突する様子を時系列的に示した図である。
【図４】本発明の実施形態に係る電子スチルカメラにおけるタイムラグ撮影モードのフローチャートを示す図である。
【図５】本発明の実施形態に係る電子スチルカメラにおけるタイムラグ撮影モードの第１サブルーチンを示すフローチャートである。
【図６】本発明の実施形態に係る電子スチルカメラにおけるタイムラグ撮影モードの第２サブルーチンを示すフローチャートである。
【図７】本発明の実施形態に係る電子スチルカメラにおけるタイムラグ撮影モードの第３サブルーチンを示すフローチャートである。
【図８】本発明の実施形態に係る電子スチルカメラにおいて実行されるタイムラグ設定ルーチンを示すフローチャートである。
【符号の説明】
【００３５】
１        電子スチルカメラ
３        撮影レンズ
４        レリーズスイッチ
５        モニタ
６        各種スイッチ
７        撮像部
９        画像処理部
１０      バッファ
１１      メモリ
１２      操作部
１３      ＣＰＵ
１５      演算部
【図１】
2009290479.tif 000003
【図２】
2009290479.tif 000004
【図３】
2009290479.tif 000005
【図４】
2009290479.tif 000006
【図５】
2009290479.tif 000007
【図６】
2009290479.tif 000008
【図７】
2009290479.tif 000009
【図８】
2009290479.tif 000010